(57)【要約】【課題】電気機器における待機電力の消費を適切に防止することができる電源供給制御装置を提供する。【解決手段】電源入切スイッチ３は、接続する電気機器への電源供給ラインの遮断と接続を制御部６の指令に従って切り替える。制御部６は、電流計測部４の計測結果と、現在の日時を対応付けた計測データを所定のメモリに保存する。また、制御部６は、電気機器が待機状態であるか否かを判定し、待機状態である場合には、過去の計測データの内容に基づいて、電気機器への電源供給を停止することについての要否を判定する。また、制御部６は、過去の計測データの内容に基づいて、電気機器への電源供給を開始することについての要否を判定する。切替手段は、制御部６により、電源供給を停止する必要があると判定されると、電源供給ラインを遮断し、電気機器に対する電源供給を開始する必要があると判定されると、電源供給ラインを接続する。【選択図】図１
2011250642.tif 000002
【特許請求の範囲】
【請求項１】
電気機器のプラグと接続するためのプラグ接続手段と、
商用電源と前記プラグ接続手段間における電源供給ラインの遮断と接続を所定条件の下で切り替える切替手段と、
前記プラグ接続手段を介して接続する前記電気機器の消費電流を計測する電流計測手段と、
該電流計測手段の計測結果と、現在の日時を対応付けた計測データを生成し、所定のメモリに保存する計測データ保存手段と、
前記電流計測手段の計測結果に基づいて、前記電気機器が待機電力を消費している待機状態であるか否かを判定する待機状態判定手段と、
該待機状態判定手段により前記電気機器が前記待機状態であると判定されてから、予め設定された第１の時間が経過すると、前記メモリに保存されている過去の計測データの内容に基づいて、前記電気機器に対する電源供給を停止することについての要否を判定する供給停止判定手段と、
前記切替手段により前記電源供給ラインが遮断されてから、予め設定された第２の時間が経過すると、前記メモリに保存されている過去の計測データの内容に基づいて、前記電気機器に対する電源供給を開始することについての要否を判定する供給開始判定手段と、を備え、
前記切替手段は、前記供給停止判定手段により、前記電気機器に対する電源供給を停止する必要があると判定されると、前記電源供給ラインを遮断し、前記供給開始判定手段により、前記電気機器に対する電源供給を開始する必要があると判定されると、前記電源供給ラインを接続し、
前記供給停止判定手段は、前記待機状態が継続している間、所定時間毎に前記判定を繰り返し、
前記供給開始判定手段は、前記遮断された状態が継続している間、所定時間毎に前記判定を繰り返す、
ことを特徴とする電源供給制御装置。
【請求項２】
前記待機状態判定手段は、前記電流計測手段の計測結果が示す値と、予め設定された待機電流閾値と、を比較することで、前記電気機器が前記待機状態であるか否かを判定する、
ことを特徴とする請求項１に記載の電源供給制御装置。
【請求項３】
前記供給停止判定手段は、前記メモリから、過去の所定時点から所定時間分の計測データを読み出し、読み出した全計測データの内容に基づいて、前記電気機器に対する電源供給を停止することについての要否を判定する、
ことを特徴とする請求項１又は２に記載の電源供給制御装置。
【請求項４】
前記供給開始判定手段は、前記メモリから、過去の所定時点から所定時間分の計測データを読み出し、読み出した全計測データの内容に基づいて、前記電気機器に対する電源供給を開始することについての要否を判定する、
ことを特徴とする請求項１乃至３の何れか１項に記載の電源供給制御装置。
【請求項５】
前記供給停止判定手段は、前記メモリに、所定期間分の前記計測データが保存されていない場合、前記待機状態判定手段により前記電気機器が前記待機状態であると判定されてから、前記第１の時間が経過すると、前記電気機器に対する電源供給を停止する必要があると判定する、
ことを特徴とする請求項１乃至４の何れか１項に記載の電源供給制御装置。
【請求項６】
前記供給開始判定手段は、前記メモリに、所定期間分の前記計測データが保存されていない場合、前記切替手段により前記電源供給ラインが遮断されてから、前記第２の時間が経過すると、前記電気機器に対する電源供給を開始する必要があると判定する、
ことを特徴とする請求項１乃至５の何れか１項に記載の電源供給制御装置。
【請求項７】
前記供給停止判定手段は、前記待機状態が、予め設定された時間であって、前記第１の時間より長い第３の時間継続した場合、前記電気機器に対する電源供給を停止する必要があると判定する、
ことを特徴とする請求項１乃至６の何れか１項に記載の電源供給制御装置。
【請求項８】
接続する電気機器への電源供給ラインの遮断と接続を所定条件の下で切り替える切替ステップと、
前記電気機器の消費電流を計測する電流計測ステップと、
該電流計測ステップでの計測結果と、現在の日時を対応付けた計測データを生成し、所定のメモリに保存する計測データ保存ステップと、
前記電流計測ステップでの計測結果に基づいて、前記電気機器が待機電力を消費している待機状態であるか否かを判定する待機状態判定ステップと、
該待機状態判定ステップにて前記電気機器が前記待機状態であると判定されてから、予め設定された第１の時間が経過すると、前記メモリに保存されている過去の計測データの内容に基づいて、前記電気機器に対する電源供給を停止することについての要否を判定する供給停止判定ステップと、
前記切替ステップにて前記電源供給ラインが遮断されてから、予め設定された第２の時間が経過すると、前記メモリに保存されている過去の計測データの内容に基づいて、前記電気機器に対する電源供給を開始することについての要否を判定する供給開始判定ステップと、を有し、
前記切替ステップでは、前記供給停止判定ステップにて前記電気機器に対する電源供給を停止する必要があると判定されると、前記電源供給ラインを遮断し、前記供給開始判定ステップにて前記電気機器に対する電源供給を開始する必要があると判定されると、前記電源供給ラインを接続し、
前記供給停止判定ステップは、前記待機状態が継続している間、所定時間毎に繰り返され、
前記供給開始判定ステップは、前記遮断された状態が継続している間、所定時間毎に繰り返される、
ことを特徴とする電源供給制御方法。
【発明の詳細な説明】
【技術分野】
【０００１】
本発明は、電気機器における待機電力の消費を防止する技術に関する。
【背景技術】
【０００２】
一般に、位置が固定されていたり、あるいは使用頻度が高い電気機器は、そのプラグが常時コンセントに差し込まれたままの状態となっていることが多い。
【０００３】
電気機器は、実際に使用されていない場合（即ち、電源がＯＦＦの状態）であっても、いわゆる待機電力と呼ばれる電力を消費している。したがって、電機機器のプラグを長期間、コンセントに差し込んだままにしておくと、その分、無駄な電力が消費されることになり、節電の観点から好ましくない。また、トラッキング現象の発生要因にもなりかねない。
【０００４】
この問題は、電機機器の不使用時には、コンセントからプラグを抜き、再度使用するときにプラグを差し込む、ということを徹底することで解決する。しかしながら、非常に煩雑な作業であり、好適な解決策とはいえない。
【０００５】
これに対し、例えば、特許文献１には、連結された電子機器の種類等によって、電源遮断のための判定パラメータとなる電力値と、継続時間とを可変設定できるようにし、測定した電子機器の消費電力値が、設定した電力値以下になると、設定した継続時間経過後に、当該電子機器に供給する電源を遮断するコンセントが提案されている。
【先行技術文献】
【特許文献】
【０００６】
【特許文献１】特表２００９−５０７３４０号公報
【発明の概要】
【発明が解決しようとする課題】
【０００７】
しかしながら、上記特許文献１に係る技術では、電源の遮断後、再度電源の供給を開始させるためには、所定の制御信号を外部から入力する必要があり、ユーザの手間がかかる。さらに、予め設定した判定パラメータが上記の条件に合致する度に電源を遮断するため、遮断のタイミングが画一的である。したがって、ユーザによる当該電子機器の使用パターンに適合せずに、例えば、電源の遮断と、電源供給が短いスパンで頻繁に繰り返される可能性もある。そうすると、ユーザの煩雑さがさらに増し、その上、省エネの効果を弱めてしまうおそれもある。
【０００８】
本発明は、上記従来の問題を解決するためになされたものであり、省エネの観点から電気機器における待機電力の消費を効果的に防止できると共に、利便性のよい電源供給制御装置等を提供することを目的とする。
【課題を解決するための手段】
【０００９】
上記目的を達成するため、本発明に係る電源供給制御装置は、
電気機器のプラグと接続するためのプラグ接続手段と、
商用電源と前記プラグ接続手段間における電源供給ラインの遮断と接続を所定条件の下で切り替える切替手段と、
前記プラグ接続手段を介して接続する前記電気機器の消費電流を計測する電流計測手段と、
該電流計測手段の計測結果と、現在の日時を対応付けた計測データを生成し、所定のメモリに保存する計測データ保存手段と、
前記電流計測手段の計測結果に基づいて、前記電気機器が待機電力を消費している待機状態であるか否かを判定する待機状態判定手段と、
該待機状態判定手段により前記電気機器が前記待機状態であると判定されてから、予め設定された第１の時間が経過すると、前記メモリに保存されている過去の計測データの内容に基づいて、前記電気機器に対する電源供給を停止することについての要否を判定する供給停止判定手段と、
前記切替手段により前記電源供給ラインが遮断されてから、予め設定された第２の時間が経過すると、前記メモリに保存されている過去の計測データの内容に基づいて、前記電気機器に対する電源供給を開始することについての要否を判定する供給開始判定手段と、を備え、
前記切替手段は、前記供給停止判定手段により、前記電気機器に対する電源供給を停止する必要があると判定されると、前記電源供給ラインを遮断し、前記供給開始判定手段により、前記電気機器に対する電源供給を開始する必要があると判定されると、前記電源供給ラインを接続し、
前記供給停止判定手段は、前記待機状態が継続している間、所定時間毎に前記判定を繰り返し、
前記供給開始判定手段は、前記遮断された状態が継続している間、所定時間毎に前記判定を繰り返す、ことを特徴とする。
【発明の効果】
【００１０】
本発明によれば、ユーザに煩雑な作業を強いることなく、電気機器における待機電力の消費を適切に防止することができる。
【図面の簡単な説明】
【００１１】
【図１】本発明の実施形態１に係る電源供給制御装置の構成を示す図である。
【図２】図１の制御部の機能構成を示すブロック図である。
【図３】電気機器のある期間における消費電流の推移を示すグラフである。
【図４】電源供給停止処理の手順を示すフローチャートである。
【図５】電源供給開始処理の手順を示すフローチャートである。
【図６】本発明の実施形態２に係る電源供給制御装置について説明するための図である。
【発明を実施するための形態】
【００１２】
以下、本発明の実施形態に係る電源供給制御装置について図面を参照して詳細に説明する。
【００１３】
（実施形態１）
図１は、本発明の実施形態１に係る電源供給制御装置１の構成を示す図である。電源供給制御装置１は、図１に示すように、プラグ２と、電源入切スイッチ３と、電流計測部４と、プラグ差込口５と、制御部６と、を備える。
【００１４】
この電源供給制御装置１は、プラグ２が、例えば、家庭用の商用電源（ＡＣ１００Ｖ）のコンセントに差し込まれ、プラグ差込口５（プラグ接続手段）に当該家庭に設置された電気機器（例えば、エアコンディショナ等）のプラグが差し込まれた態様で使用される。
【００１５】
電源入切スイッチ３（切替手段）は、例えば、リレー等で構成され、プラグ２とプラグ差込口５間の一対の電力線７（即ち、接続する電気機器への電源供給ライン）に設けられる。電源入切スイッチ３は、制御部６からの制御信号に応じて、開閉することで、電源供給ラインを遮断・接続する。
【００１６】
電流計測部４は、電源入切スイッチ３の接続位置より後方の電源供給ラインに設けられ、電気機器へ流入する電流（即ち、電気機器の消費電流）を計測し、その計測結果（消費電流値）を制御部６に出力する。
【００１７】
制御部６は、ＣＰＵ、ＲＯＭ、フラッシュメモリ等の読み書き可能な不揮発性メモリ等（何れも図示せず）から構成される。制御部６には、一対の電力線８を介して、商用電源からの電力が常時供給される構成となっている。
【００１８】
図２に示すように、制御部６は、機能的には、消費電流取得部６１と、データ記憶部６２と、待機状態判定部６３と、供給停止判定部６４と、供給開始判定部６５と、スイッチ制御部６６と、計時部６７と、を備える。消費電流取得部６１（計測データ保存手段）は、所定時間毎に、電流計測部４の計測結果（電気機器の消費電流値）を取得し、取得した消費電流値と、現在の日時（月も含む）とを対応付けた計測データを生成し、データ記憶部６２に保存する。
【００１９】
待機状態判定部６３は、接続する電気機器の電源がＯＦＦされている（即ち、待機状態である）か否かを判定する。具体的には、待機状態判定部６３は、消費電流取得部６１が取得した現在の消費電流値と、予め設定された待機電流閾値（データ記憶部６２に保存されている）と、を比較し、現在の消費電流値が待機電流閾値以下の場合、当該電気機器は待機状態であると判定する。待機状態判定部６３は、判定結果を供給停止判定部６４に通知する。
【００２０】
供給停止判定部６４は、電気機器への電源供給中（即ち、電源供給ラインが接続中）に、待機状態判定部６３から、待機状態である旨の通知を受けると、計時部６７を使用して計時を開始する。計時時間が、予め設定された時間（第１の時間）に達すると、供給停止判定部６４は、データ記憶部６２に保存されてる過去の計測データに基づいて、電気機器の今後の動作状態の傾向を取得し、当該電気機器に対して電源供給を停止する必要があるか否か（電源供給の停止要否）を判定する。ただし、この間に、待機状態判定部６３から、待機状態でない（即ち、稼働状態である）旨の通知を受けると、供給停止判定部６４は、当該計時を停止する。
【００２１】
電源供給の停止要否の判定について、さらに詳細に説明する。計時時間が第１の時間に達すると、供給停止判定部６４は、データ記憶部６２から、１年前の同日時を起点として、現在に向かって、予め設定された所定時間分の計測データを読み出す。例えば、現在の日時が、６月１日１２時００分である場合、供給停止判定部６４は、データ記憶部６２から、１年前の６月１日１２時００分を起点として、現在に向かって、所定時間分の全計測データを読み出す。例えば、この時間を１時間とすると、１年前の６月１日１２時００分〜１３時００分までの計測データが読み出されることになる。
【００２２】
供給停止判定部６４は、読み出した全計測データにおける消費電流値が、待機電流閾値以下であるか否かを判定する。全ての消費電流値が待機電流閾値以下である場合、供給停止判定部６４は、電源供給を停止する必要があると判定する。そして、電源供給の停止を要求する通知（電源供給停止要求）をスイッチ制御部６６に発行する。一方、何れかの計測データの消費電流値が待機電流閾値を超えている場合、供給停止判定部６４は、電源供給を停止する必要がないと判定する。この場合、供給停止判定部６４は、所定時間（例えば、１時間）スリープし、その間は電源供給の停止要否についての判定を行わない。
【００２３】
供給開始判定部６５は、電気機器への電源供給が停止（即ち、電源供給ラインが遮断）されてから予め設定された時間（第２の時間）が経過すると、過去の計測データの傾向から、当該電気機器の今後の動作状態の傾向を取得し、電源供給を開始する必要があるか否か（電源供給開始の要否）を判定する。具体的には、供給開始判定部６５は、データ記憶部６２から、１年前の同日時を起点として、現在に向かって、予め設定された所定時間分の計測データを読み出す。供給開始判定部６５は、読み出した全計測データの内、その消費電流値が待機電流閾値を超えているものが存在するか否かを判定する。
【００２４】
待機電流閾値を超えている計測データが存在する場合（図３参照）、供給開始判定部６５は、電源供給を開始する必要があると判定する。そして、電源供給の開始を要求する通知（電源供給開始要求）をスイッチ制御部６６に発行する。一方、全ての計測データにおける消費電流値が待機電流閾値以下である場合、供給開始判定部６５は、電源供給を開始する必要がないと判定する。
【００２５】
供給開始判定部６５は、電源供給の停止状態が継続している間、所定時間（例えば、第２の時間）毎に、電源供給開始の要否についての判定処理を繰り返し行う。
【００２６】
スイッチ制御部６６は、供給停止判定部６４から上述した電源供給停止要求を受けると、電源入切スイッチ３に対して「開」信号を送出する。電源入切スイッチ３は、かかる「開」信号を受けると、開状態になり、これにより、電源供給ラインが遮断され、電気機器への電源供給が停止される。
【００２７】
また、スイッチ制御部６６は、供給開始判定部６５から上述した電源供給開始要求を受けると、電源入切スイッチ３に対して「閉」信号を送出する。電源入切スイッチ３は、かかる「閉」信号を受けると、閉状態になり、これにより、電源供給ラインが接続され、電気機器への電源供給が開始される。
【００２８】
図４は、以上のように構成された電源供給制御装置１による電源供給停止処理の手順を示すフローチャートである。電源供給停止処理は、電気機器への電源供給中に実行される。先ず、待機状態判定部６３により、接続する電気機器が待機状態であるか否かが判定される（ステップＳ１０１）。その結果、待機状態と判定されると（ステップＳ１０１；ＹＥＳ）、供給停止判定部６４は、計時部６７を使用して計時を開始する（ステップＳ１０２）。
【００２９】
計時開始後、第１の時間に達するまでの間に電気機器が稼働状態になると（ステップＳ１０３；ＹＥＳ）、供給停止判定部６４は当該計時を停止し、ステップＳ１０１の処理が再度実行される。
【００３０】
一方、計時開始後、電気機器が稼働状態になることなく（ステップＳ１０３；ＮＯ）、第１の時間に達すると（ステップＳ１０４；ＹＥＳ）、供給停止判定部６４は、当該電源供給制御装置１が稼働してから所定期間が経過したか否かを判定する（ステップＳ１０５）、その結果、所定期間が経過していない場合（ステップＳ１０５；ＮＯ）、データ記憶部６２に当該所定期間分の計測データが保存されているため、電気機器の今後の動作状態の傾向を取得できない（推定できない）ことから、供給停止判定部６４は、過去の計測データをチェックすることなく、直ちに、電源供給停止要求をスイッチ制御部６６に発行する。すると、スイッチ制御部６６は、「開」信号を電源入切スイッチ３に送出する（ステップＳ１０８）。
【００３１】
一方、所定期間が経過している場合（ステップＳ１０５；ＹＥＳ）、供給停止判定部６４は、上述したように、データ記憶部６２から、当該所定期間（例えば、１年）前の同日時を起点として、現在に向かって、所定時間（例えば、１時間）分の計測データを読み出す（ステップＳ１０６）。
【００３２】
そして、供給停止判定部６４は、読み出した全計測データにおける消費電流値が、待機電流閾値（例えば、０．０１Ａ）以下であるか否かを判定する（ステップＳ１０７）。全ての消費電流値が待機電流閾値以下である場合（ステップＳ１０７；ＹＥＳ）、供給停止判定部６４は、電源供給停止要求をスイッチ制御部６６に発行する。すると、スイッチ制御部６６は、「開」信号を電源入切スイッチ３に送出する（ステップＳ１０８）。電源入切スイッチ３は、かかる「開」信号を受けると、閉状態から開状態に移行し（ステップＳ１１０）、これにより、電源供給ラインが遮断され、電気機器への電源供給が停止される。
【００３３】
一方、何れかの消費電流値が待機電流閾値を超えている場合（ステップＳ１０７；ＮＯ）、供給停止判定部６４は、現時点で電源供給を停止する必要がないと判定し、所定時間（例えば、第１の時間）スリープする（ステップＳ１０９）。
【００３４】
図５は、電源供給制御装置１による電源供給開始処理の手順を示すフローチャートである。電源供給開始処理は、電気機器への電源供給が停止されてから第２の時間が経過すると開始され、以後、電源供給の停止状態が継続している間、所定時間毎に繰り返し実行される。先ず、供給開始判定部６５は、当該電源供給制御装置１が稼働してから所定期間が経過したか否かを判定する（ステップＳ２０１）、その結果、所定期間が経過していない場合（ステップＳ２０１；ＮＯ）、電気機器の今後の動作状態の傾向を取得できないため、供給開始判定部６５は、過去の計測データをチェックすることなく、直ちに、電源供給開始要求をスイッチ制御部６６に発行する。すると、スイッチ制御部６６は、「閉」信号を電源入切スイッチ３に送出する（ステップＳ２０４）。
【００３５】
一方、所定期間が経過している場合（ステップＳ２０１；ＹＥＳ）、供給開始判定部６５は、上述したように、データ記憶部６２から、当該所定期間（例えば、１年）前の同日時を起点として、現在に向かって、所定時間分の計測データを読み出す（ステップＳ２０２）。
【００３６】
そして、供給開始判定部６５は、読み出した全計測データの内、その消費電流値が、待機電流閾値を超えているものが存在するか否かを判定する（ステップＳ２０３）。その結果、待機電流閾値を超えている計測データが存在する場合（ステップＳ２０３；ＹＥＳ）、供給開始判定部６５は、電源供給開始要求をスイッチ制御部６６に発行する。すると、スイッチ制御部６６は、「閉」信号を電源入切スイッチ３に送出する（ステップＳ２０４）。電源入切スイッチ３は、かかる「閉」信号を受けると、開状態から閉状態に移行し（ステップＳ２０６）、これにより、電源供給ラインが接続され、電気機器への電源供給が開始される。
【００３７】
一方、待機電流閾値を超えている計測データが存在しない場合（ステップＳ２０３；ＮＯ）、供給開始判定部６５は、現時点で電源供給を開始する必要がないと判定し、所定時間が経過するまでスリープする（ステップＳ２０５）。
【００３８】
以上説明したように、本実施形態の電源供給制御装置１によれば、接続する電気機器の消費電流を計測し、その計測結果（消費電流値）と、計測日時とを対応付けた計測データを生成し、データ記憶部６２に蓄積保存する。そして、電気機器の動作状態が待機状態になってから第１の時間が経過すると、データ記憶部６２に保存した過去の計測データを用いて、電気機器の今後の動作状態の傾向を取得する。そして、取得した動作状態の傾向に基づいて、電源供給の停止要否についての判定を行う。したがって、ユーザによる当該電子機器の日常の使用パターンに即した適切なタイミングで電源供給を停止することができる。このため、例えば、電源供給の停止と供給開始が、短いスパンで頻繁に繰り返される事態等を防止することができる。
【００３９】
また、本実施形態の電源供給制御装置１によれば、電源供給の停止後、データ記憶部６２に保存した過去の計測データを用いて、電気機器の今後の動作状態の傾向を取得し、取得した動作状態の傾向に基づいて、電源供給の開始要否についての判定を行う。そして、電源供給の開始が必要であると判定すると、自動的に電源供給を開始する。したがって、従来のように、所定の制御信号を外部から入力する必要がなく、ユーザの手間が省け、利便性に優れる。
【００４０】
（実施形態２）
続いて、本発明の実施形態２に係る電源供給制御装置について説明する。上記実施形態１の電源供給制御装置１は、一の電気機器への電源供給を制御するものであったが、本実施形態の電源供給制御装置は、複数の電気機器への電源供給を個別に制御することに特徴を有する。
【００４１】
図６に示すように、電源供給制御装置１００は、例えば、配電盤上に設けられ、各コンセント３００に対応する電源供給ライン４００毎に設けられた各電流計測装置２００と各通信線５００を介して通信可能に接続する。
【００４２】
また、電源供給制御装置１００は、各コンセント３００と各通信線６００を介して通信可能に接続する。
【００４３】
電源供給制御装置１００は、電流計測装置２００及びコンセント３００それぞれとの通信インタフェースを備えるほかは、実施形態１の電源供給制御装置１における制御部６と略同様のハードウェアで構成される。
【００４４】
各電流計測装置２００は、それぞれ対応するコンセント３００に接続する電気機器の消費電流を計測し、その計測結果（消費電流値）を電源供給制御装置１００に出力する。電源供給制御装置１００は、所定時間毎に、各電流計測装置２００の計測結果（各電気機器の消費電流値）を取得し、取得した各消費電流値毎に、現在の日時（月も含む）と対応付けた計測データを生成し、フラッシュメモリ等に保存する。この際、各計測データは、それぞれ、コンセント３００別に設けられた領域に分別して保存される。
【００４５】
電源供給制御装置１００は、実施形態１の制御部６と同様にして、各電気機器に対する電源供給の停止要否又は電源供給の開始要否を判定する。そして、電源の供給停止が必要である又は電源の供給開始が必要であると判定した場合は、対応するコンセント３００に対して、電源の供給停止を要求する制御信号（供給停止信号）又は電源の供給開始を要求する制御信号（供給開始信号）を送出する。
【００４６】
各コンセント３００は、実施形態１の電源供給制御装置１における電源入切スイッチ３と同様のスイッチ（図示せず）を備え、電源供給制御装置１００から上記の供給停止信号を受信すると、当該スイッチを閉状態から開状態にする。これにより、当該コンセント３００に接続する電気機器への電源供給が停止される。
【００４７】
一方、各コンセント３００は、電源供給制御装置１００から上記の供給開始信号を受信すると、当該スイッチを開状態から閉状態にする。これにより、当該コンセント３００に接続する電気機器への電源供給が開始される。
【００４８】
以上のように、本実施形態の電源供給制御装置１００によれば、複数の電気機器への電源供給を個別に制御することが可能になる。
【００４９】
なお、本発明は、上記実施形態に限定されず、本発明の要旨を逸脱しない範囲での種々の変更は勿論可能である。
【００５０】
例えば、上記実施形態では、電源供給の停止要否や開始要否の判定において使用する過去の計測データの起点を１年前としていたが、遡る期間に限定はない。例えば、対象とする電気機器がテレビ等の場合は、１日前の同時刻を起点にしてもよい。また、この遡る期間をユーザが任意に設定できるようにするための外部スイッチ等を電源供給制御装置１、又は１００に設けてもよい。同様に、上述した第１、第２の時間等も外部スイッチ等を介してユーザが任意に設定できるようにしてもよい。
【００５１】
また、実施形態１の電源供給制御装置１において、外部スイッチ等の操作により、データ記憶部６２に蓄積した計測データを消去できるように構成してもよい。かかる構成にすると、接続する電気機器が別種のものに替わっても対応が容易となり、汎用性が高まる。
【００５２】
また、上記実施形態では、接続する電気機器が待機状態であっても、過去の計測データから、今後、所定時間内に稼働状態となることが見込まれる場合には、電源供給を停止しなかったが、待機状態が、第１の時間より長い、予め設定された第３の時間継続している場合には、過去の傾向に依らず、電源供給を停止してもよい。
【００５３】
また、実施形態１の電源供給制御装置１は、家庭用のコンセントと接続するためのプラグ２と、電気機器のプラグと接続するためのプラグ差込口５を備えることで、取り外し自在な、一種のアダプタ等の態様の装置であったが、実施形態１の電源供給制御装置１と同様の処理を行う電源供給制御装置を壁内等に埋設し、家庭用のコンセントと一体化してもよい。
【産業上の利用可能性】
【００５４】
本発明は、様々な場所に設置される様々な電気機器における待機電力の消費を防止するための技術に適用することが可能である。
【符号の説明】
【００５５】
１、１００  電源供給制御装置
２  プラグ
３  電源入切スイッチ
４  電流計測部
５  プラグ差込口
６  制御部
６１  消費電流取得部
６２  データ記憶部
６３  待機状態判定部
６４  供給停止判定部
６５  供給開始判定部
６６  スイッチ制御部
６７  計時部
７、８  電力線
２００  電流計測装置
３００  コンセント
４００  電源供給ライン
５００、６００  通信線
【図１】
2011250642.tif 000003
【図２】
2011250642.tif 000004
【図３】
2011250642.tif 000005
【図４】
2011250642.tif 000006
【図５】
2011250642.tif 000007
【図６】
2011250642.tif 000008